(57)【要約】スロット付きプレート（１４）とコネクタ（１２）と保持部（２５）とを有する、引張り要素（２）と対象物との間の接続体が開示されている。スロット付きプレートは対象物またはその部分に取り付けられ、スロット（１６）は第１部分（２１）と第２部分（２３）とを有する。コネクタは、引張り要素と係合可能な第１端部と、スロットの第２部分に挿入し、スロットの第１部分に向かって摺動して、スロットの第１部分に係合し得る第２端部（４４）とを有する。保持部は、コネクタがスロットの第１部分と一旦係合すると、コネクタがスロットの第２部分に移動して戻るのを阻止する。このような接続体は、ケーブルアセンブリをシートバスケットに取り付けて、調整可能なランバーサポートを提供するために使用することができる。
2004537681.tif 000002
【特許請求の範囲】
【請求項１】
プレートを有する、引張り要素と対象物との間の接続体であって、
（ａ）第１部分と第２部分とを有する前記プレート内のスロットと、
（ｂ）前記引張り要素と係合可能な第１端部と、第２端部とを有するコネクタであって、該第２端部が、第２端部を前記スロットの第２部分内に挿入して、一般的に前記スロットの第２部分から前記スロットの第１部分に前記コネクタの第２端部を摺動することによって、前記プレートと摺動自在に係合可能である、コネクタと、
（ｃ）前記係合されるコネクタの、前記スロットの第１部分から前記スロットの第２部分への移動を阻止する保持部と、
を具備する接続体。
【請求項２】
前記保持部が弾性であり、該保持部が、前記スロットの第２部分内のまたはそれに隣接した空間を少なくとも部分的に覆い隠す位置に向かって付勢される、請求項１に記載の接続体。
【請求項３】
前記保持部が前記プレートの一部分である、請求項２に記載の接続体。
【請求項４】
前記保持部が、前記スロットの第２部分内のまたはそれに隣接した実質的にすべての空間を覆い隠す、請求項３に記載の接続体。
【請求項５】
前記スロットの第２部分が、前記スロットの第１部分よりも広い、請求項２に記載の接続体。
【請求項６】
前記コネクタの第２端部が、前記スロットの第１部分よりも広くかつ前記スロットの第２部分よりも狭い下方当接部を有する、請求項５に記載の接続体。
【請求項７】
前記コネクタの第２端部が、前記下方当接部によって係合可能な前記プレートの側面と反対側の前記プレートと係合可能な上方当接部を有する、請求項６に記載の接続体。
【請求項８】
前記コネクタが、前記プレートの厚さよりも大きな前記下方当接部からの距離に上方当接部を有し、前記上方当接部が、前記スロットの第１部分よりも広い、請求項６に記載の接続体。
【請求項９】
前記上方当接部が、前記スロットの第２部分よりも広い、請求項８に記載の接続体。
【請求項１０】
引張り要素をプレート内のスロットに接続するためのコネクタであって、
（ａ）前記引張り要素と係合可能な第１端部と、
（ｂ）前記プレート内の前記スロットと係合可能な前記コネクタから突出する下方当接部を有する第２端部と、
を具備するコネクタ。
【請求項１１】
前記コネクタの第２端部が、前記下方当接部から離れて配設された上方当接部を有する、請求項１０に記載の接続体。
【請求項１２】
前記上方当接部が前記コネクタから突出する、請求項１１に記載の接続体。
【請求項１３】
前記上方当接部が、前記下方当接部よりも広い、請求項１２に記載の接続体。
【請求項１４】
引張り要素または引張り要素コネクタをプレートに接続するためのスロットを有する前記プレートであって、
（ａ）第２部分が第１部分よりも広い、前記スロットの第１部分および前記スロットの第２部分と、
（ｂ）前記スロットの第１部分を有する保持部の境界の近くの前記スロットの第２部分内のまたはそれに隣接した空間を可動自在に覆い隠す保持部と、
を具備するプレート。
【請求項１５】
引張り要素または引張り要素コネクタをプレートに接続するためのスロットを有する前記プレートであって、
（ａ）第２部分が第１部分よりも広い、前記スロットの第１部分と前記スロットの第２部分と、
（ｂ）保持部が弾性であり、該保持部が、前記スロットの第２部分内のまたはそれに隣接した空間を少なくとも部分的に覆い隠す位置に向かって付勢される前記保持部と、
を具備するプレート。
【請求項１６】
前記プレートおよび前記保持部が一体構造である、請求項１５に記載の接続体。
【請求項１７】
前記保持部が、前記プレート内の前記スロットの第２部分内のまたはそれに隣接した実質的にすべて空間を覆い隠す、請求項１６に記載の接続体。
【請求項１８】
前記プレートが、ヒンジによって前記対象物に取り付けられる、請求項２に記載の接続体。
【請求項１９】
前記プレートが、前記対象物の枢着可能なタブである、請求項２に記載の接続体。
【請求項２０】
前記プレートが、前記対象物と一体構造で構成される、請求項１９に記載の接続体。
【請求項２１】
前記対象物が、ランバーサポートをシート内に設けるためのバスケットであり、該バスケットが第１端部と第２端部とを有し、前記第１端部が、ケーブルである引張り要素用の接続体を有し、前記第２端部が、前記ケーブルのための導管である引張り要素用の接続体を有する、請求項２に記載の接続体。
【請求項２２】
前記タブと前記バスケットとの間の連結部が、前記ケーブルに対して実質的に垂直である、請求項２１に記載の接続体。
【請求項２３】
前記引張り要素が前記スロットの長さと一般的に位置合わせされる、請求項２に記載の接続体。
【請求項２４】
前記スロットの第１部分が、前記スロットの第２部分と反対側の第１端部を有し、前記第１端部が、前記プレートと一体構で構成されるストッパを有する、請求項２に記載の接続体。
【請求項２５】
前記コネクタの第２端部の長さが、前記スロットの第１部分の長さに実質的に等しく、前記保持部が、前記スロットの第１部分と前記スロットの第２部分との間の境界に実質的に隣接した前記スロットの第２部分を少なくとも部分的に覆い隠す、請求項２４に記載の接続体。
【請求項２６】
前記保持部が前記プレートと一体構造である、請求項２５に記載の接続体。
【請求項２７】
前記保持部が、前記スロットの第１端部と反対側の前記スロットの第２端部で前記プレートに取り付けられる、請求項２６に記載の接続体。
【請求項２８】
前記スロットの第２部分が、前記下方当接部よりも長い、請求項２７に記載の接続体。
【請求項２９】
前記保持部が、前記プレートと一体構造であり、前記スロットの第１部分と反対側の前記スロットの第２端部で前記プレートに取り付けられる、請求項２に記載の接続体。
【請求項３０】
前記保持部が、実質的に前記スロットの第２部分の長さである、請求項２９に記載の接続体。
【請求項３１】
前記スロットの第１部分が、前記スロットの第２部分と反対側のストッパを有し、前記ストッパが、前記保持部に対する前記コネクタに付勢するために弾性である、請求項２に記載の接続体。
【請求項３２】
前記コネクタが、前記ストッパによって前記保持部に対して付勢される間、前記下方当接部が、前記保持部の下向き運動を阻止する、請求項３１に記載の接続体。
【請求項３３】
前記コネクタが、前記ストッパの前記付勢に対抗して前記コネクタを最初に移動し、次に、前記下方当接部を通過して前記保持部を押すことによって解放自在である、請求項３２に記載の接続体。
【請求項３４】
前記ストッパが前記シート材料と一体構造で構成される、請求項３２に記載の接続体。
【請求項３５】
前記コネクタが、前記保持部の付勢に対抗して前記保持部を最初に押して、前記コネクタが前記スロットの第１部分から前記スロットの第２部分に摺動するのを可能にすることによって解放可能である、請求項２に記載の接続体。
【請求項３６】
前記スロットの第２部分が、前記下方当接部よりも長い、請求項２に記載の接続体。
【請求項３７】
前記ストッパが弾性である、請求項２４に記載の接続体。
【請求項３８】
プレートを有する、引張り要素と対象物との間の接続体であって、
（ａ）第１部分と第２部分とを有する前記プレート内のスロットと、
（ｂ）前記引張り要素と係合可能な第１端部と、第２端部とを有するコネクタであって、前記第２端部が、前記第２端部を前記スロットの第２部分内に挿入して、一般的に前記スロットの第２部分から前記スロットの第１部分に前記コネクタの第２端部を摺動することによって、前記プレートと摺動自在に係合可能である、コネクタと、
を具備する接続体。
【請求項３９】
前記スロットの第２部分が、前記スロットの第１部分よりも広い、請求項３８に記載の接続体。
【請求項４０】
前記コネクタの第２端部が、前記スロットの第１部分よりも広くかつ前記スロットの第２部分よりも狭い下方当接部を有する、請求項３９に記載の接続体。
【請求項４１】
前記コネクタの第２端部が、前記下方当接部によって係合可能な前記プレートの側面と反対側の前記プレートと係合可能な上方当接部を有する、請求項４０に記載の接続体。
【請求項４２】
前記コネクタが、前記プレートの厚さよりも大きな前記下方当接部からの距離に上方当接部を有し、前記上方当接部が、前記スロットの第１部分よりも広い、請求項４０に記載の接続体。
【請求項４３】
前記上方当接部が、前記スロットの第２部分よりも広い、請求項４２に記載の接続体。
【発明の詳細な説明】
発明の分野
本発明は、ケーブル、導管、ロッドまたは他の引張り要素と対象物との間の接続体、より詳しくは、ケーブルアセンブリとランバーサポートバスケットとの間の接続体に関する。
【０００１】
発明の背景
ケーブル、導管、ロッドおよび他の引張り要素は、対象物に力を加えるために膨大な数の用途で用いられる。例えば、引張り要素の第１端部を対象物に取り付け、ボタン、ハンドルまたは他の手段をオペレータに提供して、引張り要素の第２端部を移動することによって、レバー、バルブ、ドアおよび他の対象物を遠隔操作することが可能である。他の一般的な例は、導管内部のケーブルを含むケーブルアセンブリの使用である。ケーブルの第１端部は移動すべき対象物に取り付けら、ケーブルの第２端部はハンドル、ボタンまたは他の操作可能な要素に取り付けられる。ケーブルアセンブリ全体を移動するよりも、むしろケーブルの第２端部を移動することによって、導管に対するケーブルの移動を引き起こすように、導管は位置保持される。このようなケーブルアセンブリは、レバーおよびロッドの複雑な装置なしに、遠くから対象物に引張力を加えるために有用である。
【０００２】
これらのすべての用途では、ロッド、ケーブル、導管または他の引張り要素を対象物に取り付けるために、コネクタを使用しなければならない。種々のコネクタが考案されてきたが、コネクタの製造は一般的に難しいか、または費用がかかり、あるいはコネクタを対象物に接続するか、または分離することが難しく、あるいは対象物との確実な接続を提供しない。例えば、引張り要素は、溶接、ねじ、リベット、または他の固定装置によって対象物に永久的に固定することができる。しかし、このようなある固定装置は、取外し可能な接続体を提供せず、その大部分は、引張り要素を対象物に接続する場合に少なくとも１つの工具の使用を必要とする。あるいは、対応するプレート、穴、またはボール等に接続されるＵリンク、ソケットまたは他の装置によって、引張り部材を対象物に接続することができる。これらのコネクタのあるものは、最終アセンブリにおける工具の必要性を避けるために前もって組み立て可能であるが、これらのコネクタの製造および前組立は一般的に複雑である。例えば、Ｕリンク、ボールおよびソケットコネクタ方は共に正確な機械加工を必要とし、引張り要素、対象物、または両方に対するねじまたは溶接による接続を典型的に必要とする。しかし、引張り要素の端部に形成されるフックのようなそれほど複雑でない代替手段は、特に逆方向に加えられる力がそれらを移動させる可能性があるので、しばしば信頼性に欠ける。
【０００３】
発明の要旨
本発明の目的は、製造が廉価であり、容易、確実、かつ取り外し自在に引張り要素と対象物との接続を可能にする、引張り要素と対象物との間の簡単な接続体を提供することである。
【０００４】
本発明は、スロット付きプレートとコネクタと保持部とを有する、引張り要素と対象物との間の接続体に関する。スロット付きプレートは、第１部分と第２部分とを有するスロットが形成される対象物またはその一部に取り付けられたシート材料から作られる。スロットの第２部分はスロットの第１部分より広い。コネクタは、引張り要素と係合可能な第１端部と、スロットの第２部分に挿入し、スロットの第１部分に向かって摺動して、スロットの第１部分の領域のプレートに係合し得る第２端部とを有する。
【０００５】
コネクタの第２端部は、コネクタがスロットの第１部分でなく、スロットの第２部分を通過できるように、スロットの第１部分よりも広いが、スロットの第２部分よりも狭い前記第２端部から突出する下方当接部を有する。コネクタはまた、第１当接部から配設される上方当接部を有する。この上方当接部は、コネクタの前部にあり得るか、あるいはシート材料の厚さよりも大きな下方当接部からの距離でコネクタから突出し得る。かくして、コネクタがスロットの第１部分に摺動されるとき、上方当接部と下方当接部は、共にプレートに接触するが、プレートの反対側では、引張り要素からの引張力がコネクタに加えられるときにコネクタの回転に抵抗する。
【０００６】
コネクタがスロットの第１部分のプレートと係合するとき、保持部は、スロットの第２部分に向かうコネクタの戻り移動を阻止する。保持部は弾性であり、保持部が、スロットの第２部分内のまたはそれに隣接した空間を少なくとも部分的に覆い隠す位置に向かって付勢される。保持部は、スロットの第２部分の１つの縁部に取り付けられたスロットの第２部分の内部に材料の一部またはすべてを残すことによって作られる、プレートに取り付けられた別個の部分またはプレートの一体構造であり得る。コネクタは、保持部の付勢に対抗して保持部を最初に押して、スロットの第１部分からスロットの第２部分にコネクタを摺動可能にする保持部の付勢に対抗して保持部を最初に押下することによって解放可能である。保持部が偏向して、保持部の弾性限界を越えて保持部が変形されることなく、下方当接部によるスロットの第２部分の通過を可能にし得るように、スロットの第２部分は下方当接部よりも長い。
【０００７】
引張力は、コネクタによって、少なくとも部分的にスロットの縁部または必要ならばより大きな軸受面を提供するスロット縁部のストッパによって、プレートに伝えられる。ストッパは、例えばスロットの第１部分内のプレートの一部分を上方または下方に折ることによって、プレートと一体構造で構成されることが好ましい。ストッパは、必要ならば、コネクタとプレートとの間に衝撃吸収接続体を提供するために弾性であり得る。さらに、ストッパは、保持部と下方当接部とに対抗してコネクタに付勢されるために使用可能であり、前記下方当接部は、コネクタがスロット内に一旦係合すると、保持部の下方運動を阻止するために形成される。
【０００８】
このような接続体の１つの用途は、調整可能なランバーサポートを有するシートである。ランバーサポートは、第１および第２端部を有する部分的に湾曲したバスケットから構成され得る。第１端部は、ケーブル端部である引張り要素に対する接続体を有し、第２端部は、ケーブルのための導管である引張り要素に対する接続体を有する。ケーブルに張力を加えることによって、バスケットの第１および第２端部は共に引かれ、これによって、バスケットは曲がり、椅子に座っている人の背部部分に突設する。
【０００９】
１つの態様では、本発明は、プレートを有する、引張り要素と対象物との間の接続体であって、
（ａ）第１部分と第２部分とを有する前記プレート内のスロットと、
（ｂ）前記引張り要素と係合可能な第１端部と、第２端部とを有するコネクタであって、前記第２端部は、前記第２端部を前記スロットの第２部分内に挿入して、一般的に前記スロットの第２部分から前記スロットの第１部分に前記第２端部を摺動することによって、前記プレートと摺動自在に係合可能である、コネクタと、を具備する接続体を提供する。
【００１０】
他の態様では、本発明は、プレートを有する、引張り要素と対象物との間の接続体であって、
（ａ）第１部分と第２部分とを有する前記プレート内のスロットと、
（ｂ）前記引張り要素と係合可能な第１端部と、第２端部とを有するコネクタであって、前記第２端部が、前記第２端部を前記スロットの第２部分内に挿入して、一般的に前記スロットの第２部分から前記スロットの第１部分に前記第２端部を摺動することによって、前記プレートと摺動自在に係合可能である、コネクタと、
（ｃ）前記スロットの第１部分から前記スロットの第２部分への前記係合されるコネクタの運動を阻止する保持部と、を具備する接続体を提供する。
【００１１】
他の態様では、本発明は、引張り要素をプレート内のスロットに接続するためのコネクタであって、
（ａ）前記引張り要素と係合可能な第１端部と、
（ｂ）前記プレート内の前記スロットと係合可能な前記コネクタから突出する下方当接部を有する第２端部と、を具備するコネクタを提供する。
【００１２】
他の態様では、本発明は、引張り要素または引張り要素コネクタをプレートに接続するためのスロットを有する前記プレートであって、
（ａ）第２部分が第１部分よりも広い、前記スロットの第１部分および前記スロットの第２部分と、
（ｂ）前記スロットの第１部分を有する保持部の境界の近くの前記スロットの第２部分内のまたはそれに隣接した空間を可動自在に覆い隠す保持部と、を具備するプレートを提供する。
【００１３】
他の態様では、本発明は、引張り要素または引張り要素コネクタをプレートに接続するためのスロットを有する前記プレートであって、
（ａ）第２部分が第１部分よりも広い、前記スロットの第１部分および前記スロットの第２部分と、
（ｂ）保持部が弾性であり、該保持部が、前記スロットの第２部分内のまたはそれに隣接した空間を少なくとも部分的に覆い隠す位置に向かって付勢される前記保持部と、を具備するプレートを提供する。
【００１４】
他の態様では、本発明は、プレートを有する、引張り要素と対象物との間の接続体であって、
（ａ）第１部分と第２部分とを有する前記プレート内のスロットと、
（ｂ）前記引張り要素と係合可能な第１端部と、第２端部とを有するコネクタであって、前記第２端部が、前記第２端部を前記スロットの第２部分内に挿入して、一般的に前記スロットの第２部分から前記スロットの第１部分に前記第２端部を摺動することによって、前記プレートと摺動自在に係合可能である、コネクタと、
（ｃ）係合されるコネクタの、前記スロットの第１部分から前記スロットの第２部分への移動を阻止する保持部と、を具備し、
前記対象物が、シート内にランバーサポートを設けるためのバスケットであり、前記バスケットが第１端部と第２端部とを有し、前記第１端部が、ケーブルである引張り要素用の接続体を有し、前記第２端部が、ケーブルのための導管である引張り要素用の接続体を有する、接続体を提供する。
【００１５】
好適な実施形態の説明
ここで、図１を参照すると、引張り要素８と対象物１０との間に接続体６が示されている。接続体６はコネクタ１２とプレート１４とを有する。コネクタ１２は図３Ａと図３Ｂに別々に図示され、プレート１４は図２に別々に示されている。
【００１６】
次に、図２を参照すると、プレート１４は、第１端部１９にストッパ１８を有するスロット１６を備える。第１端部１９に隣接して、第１縁部２０がスロット１６の第１部分２１の周辺にある。スロット１６の第１部分２１に隣接して、スロット１６の第２縁部２２がスロット１６の第２部分２３の周辺にある。スロット１６の第２端部２４は、第１端部１９の反対側のスロット１６の端部にある。
【００１７】
スロット１６および実施形態の他の部分の寸法は、次の基準系に従って説明する。長さは、スロット１６の第１端部１９からスロット１６の第２端部２４に延在して、第１縁部２０と第２縁部２２とに対して一般的に平行である線に沿って測定される。幅は、プレート１４に対して平行の面の長さに対して垂直に測定される。深さまたは厚さは、長さと幅とに対して垂直に測定される。スロット１６についてみれば、ストッパ１８がスロット１６内のあるいはそれに隣接した空間内に突出する場合、測定はスロット１６の縁部からでなく、ストッパ１８から行われる。コネクタ１２が図１に示したようにプレート１４に係合するとき、コネクタ１２の寸法の基準は同一の基準系に従う。
【００１８】
次に、図１および図２を参照すると、ストッパ１８はプレート１４の上のコネクタ１２に軸受面を提供する。低い応力印加に対して、ストッパ１８は単純にプレート１４の縁部であり得るが、図示したようにストッパは追加の軸受領域を提供することが好ましい。十分な曲率半径を有する弾性材料から形成された場合、ストッパ１８は、コネクタ１２またはプレート１４に対する衝撃を緩衝することができる。
【００１９】
ストッパ１８は、スロット１６の第１部分２１の１つの縁部に取り付けられたプレート１４の一部分を残すようにスロット１６を切り取ることによって、プレート１４と一体構造の部分として構成されることが好ましい。次に、この１つのプレート１４は上方または下方へ湾曲されて、ストッパ１８を形成する。プレート１４は、プレートの弾性限界を越えてプレートを湾曲することによって、あるいは熱等を加えることによって形成し得る弾性材料から形成されることが好ましい。例えば、薄鋼板、アルミニウムまたは種々のプラスチックが、異なった用途に適切であり得る。
【００２０】
ストッパ１８は図１と図２に示したようにスロット１６の第１端部１９に配置される。この位置では、ストッパ１８は、スロット１６の長さに整合された引張り要素によって加えられる力に耐えるために、追加の軸受領域を提供する。接続体６がスロットの長さ方向に対して垂直の力を移すために使用されるならば、ストッパ１８は第１縁部２０の１つの上に配置されるであろう。
【００２１】
次に、図２を参照すると、スロット１６の第２部分２３の中の、あるいはそれに隣接した空間の部分を隠す保持部２５が示されている。保持部２５はプレート１４の面内にあることが好ましいが、「隣接」という用語は、プレート１４の上または下の平行面の同様の位置に保持部２５を配置し得ることを示すように意図され、前記平行面はプレート１４に十分に近く、保持部がその機能を実行するのを可能にする。
【００２２】
保持部２５の機能について、以下により詳細に説明するが、この機能は、コネクタ１２がプレート１４に係合するとき、コネクタがスロット１６から外れる可能性があるスロット１６の第２部分２３に向かってコネクタが移動するのを阻止することを含む。ある用途では、保持部２５は不要であり、接続体６は保持部なしに十分に確保される。例えば、コネクタ１２は、プレート１４に対する摩擦ばめを規定するように寸法決めすることができる。あるいは、引張り要素８は対象物１０に一旦取り付けられると張力下に維持可能であり、これによって、スロット１６からのコネクタ１２の移動を阻止する。
【００２３】
保持部２５は別個の要素であり得るが、プレート１４と一体成形の構造であることが好ましい。ストッパ１８のように、保持部２４は、スロット１６の第２部分２３の１つの縁部に取り付けられたプレート１４の一部分を残すようにスロット１６を切り取ることによって、プレート１４の一部分であり得る。保持部２４は、第２縁部２２のいずれかに取り付けることができるが、スロット１６の第２端部２４に取り付けることが好ましい。
【００２４】
ここで、図３Ａと図３Ｂを参照すると、コネクタ１２の２つの別形態が示されている。各コネクタ１２は、引張り要素と係合可能な第１端部３６を有する本体３４を有する。図３Ａのコネクタ１２において、第１端部３６は引張り要素を挿入するための穴３８を有する。好ましくは、コネクタ１２は、引張り要素８が穴３８の所定の位置に鋳造されるか、あるいは穴３８内の摩擦ばめであるような許容値で作られる鋳物である。しかし、異なった用途のために多くの代替方法が適切であり得る。例えば、図３Ｃに示したように、引張り要素８は穴３８を通して押し込むことができ、その端部の上にコレット、ナットまたは他の障害物３９を設けて、引張り要素が穴を通して後方に通過するのを防止することができる。他の用途では、引張り要素８は、止めねじまたはピン４１によってあるいはコネクタ１２をかしめることによって穴の中に保持することができる。図３Ｂのコネクタ１２では、第１端部３６は、ケーブルアセンブリの導管部分である引張り要素を受容するように適合される。この場合、穴３８は、ケーブルの通過を許容するように寸法決めされる。第２の皿状の穴４０は、導管の端部を受け入れるように寸法決めされて、前記導管を適所に保持し、前記導管の端部のための軸受面４２を提供する。コネクタ１２のために好ましい材料は、第一に、コネクタに加えられる力およびプレート１４と引張り要素８との融和性に基づき選択され、例えば、鋼、アルミニウムまたはプラスチックであり得る。
【００２５】
なお図３Ａと図３Ｂを参照すると、コネクタの第２端部４４は下方当接部４６と支柱４８と上方当接部５０とを有する。下方当接部４６は、支柱４８よりも広い第２端部から延在する。上方当接部５０は２つの主要面を有する。第１表面５２は、穴３８の軸と平行方向に第２端部４４から延在する。第２表面５４は、支柱４８よりも広い第２端部４４から延在する。
【００２６】
次に、図４を参照すると、保持部２５を備えず、スロット１６の第１部分２１の領域のプレート１２に係合したコネクタを有するプレート１４の一部が示されている。スロット１６の第２部分２３はスロット１６の第１部分２１よりも広い。コネクタ１２の第２端部４４が、プレート１４を通して突出し、スロット１６の第１部分２１の一部分を覆っているのが示されている。下方当接部４６が第２部分２３を通過できるように、下方当接部４６の幅は、スロット１６の第２部分２３の幅よりも小さい。逆に、下方当接部４６が第１部分２１の領域のプレート１４に係合するように、下方当接部４６の幅はスロット１６の第１部分２１の幅よりも大きい。好ましくは、破線で示した上方当接部５０の幅は、スロット１６の第１部分２１よりも同様に大きく、コネクタ１２がプレート１４を通して落ちるのを防止する。より好ましくは、上方当接部５０の幅は、スロット１６の第２部分２３よりも同様に大きく、下方当接部４６がスロット１６の第２部分２３を通過するとき、コネクタ１２がプレート１４を通して落ちるのを防止する。支柱４８は、スロット１６の第１部分２１よりも狭く、コネクタ１２が第２部分２３からスロット１６の第１部分２１に摺動するのを可能にする。同様に、下方当接部４６と上方当接部５０は少なくともプレート１４の厚さだけ互いに離間され、コネクタ１２が第２部分２３からスロット１６の第１部分２１に摺動するのを可能にする。
【００２７】
次に、図５Ａを参照すると、コネクタ１２がスロット１６の第２部分２３の中に挿入されているのが示されている。コネクタ１２は、下方当接部４６がプレート１４を通過するまで差し込まれ、この結果、保持部２５はコネクタ１２の第２端部４４によって下方に偏向される。保持部２５が永久に変形されることなく曲がり得るように、スロット１６の第２部分２３の長さは下方当接部４６の長さよりも長い。
【００２８】
次に、図５Ｂを参照すると、コネクタは、スロット１６の第１部分２１に係合するために摺動する。力が引張り要素８に加えられた場合、コネクタ１２の前面６０はストッパ１８に接触する。引張り要素８によって生成されるモーメント力は、プレート１４の対向側の下方当接部４６と上方当接部５０との間の協働接触によって対抗される。上方当接部５０は、第１表面５２、第２表面５４、または両方の表面でプレート１４に接触し得る。引張り要素８によって生成されるモーメント力の大きさは、コネクタ１２がプレート１４と係合したときに引張り要素８がプレート１４に近く、あるいはプレート１４の面内にあるように、引張り要素８をコネクタ１２に配置することによって低減し得る。
【００２９】
なお図５Ｂを参照すると、保持部２５はプレート１４の面内に跳ね戻っている。スロット１６の第２部分２３に向かうコネクタ１２の移動は、プレート１４からのコネクタの解放を可能にし得るが、今や、コネクタ１２のこの移動は阻止される。しかし、オペレータが接続体の分解を望むなら、保持部２５を下方に押して、第２部分２３からスロット１６の第２部分２３に向かってコネクタを摺動させることができる。
【００３０】
コネクタ１２の第２端部４４の長さは、前面６０と支柱４８の末端縁部との間の長さと規定される。コネクタ１２の第２端部４４の長さ、および保持部の長さ２５は、支柱４８と保持部２５との間にほとんど空間がない程度であることが好ましい。このようにして、コネクタ１２は非常に限定された運動範囲のみを有し、力が逆方向に加えられるならば、保持部２４は、コネクタ１２がスロット１６内で後方に移動して、プレート１４を解放するのを防止する。
【００３１】
より好ましくは、コネクタ１２の第２端部４４の長さはスロット１６の第１部分２１の長さと実質的に同じであり、保持部２５の長さはスロット１６の第２部分２３と実質的に同じである。同様に、保持部２５が第２縁部２２の１つに取り付けられるならば、第１部分２１とスロット１６の第２部分２３との間の境界を少なくとも部分的に覆うように、保持部２５を配置することが好ましいであろう。
【００３２】
また、上方当接部４２と下方当接部４４との間の距離は、プレート１４の厚さよりもわずかに大きく選択することができる。あるいは、上方当接部４２と下方当接部４４との間の距離は、コネクタ１２が固定量だけわずか前方に回転できるように、プレート１４の厚さよりも大きく選択することができる。固定回転量は、コネクタ１２がスロット１６の中に摺動するにつれて、コネクタの回転を可能にし、これによって、保持部２４の必要な合計偏向量が低減される。
【００３３】
図５Ｂに示した実施形態では、下方当接部４６は、支柱４８から保持部２５の方向に延在する表面を有して、コネクタ１２がスロット１６に係合するとき、保持部２５が下方に移動して、コネクタ１２を解放するのを防止する。コネクタ１２を着脱するために、コネクタは、ストッパ１８に対して押圧され、保持部２５による下方当接部４６の通過を可能にする程度に十分にストッパ１８を変形する。コネクタ１２がプレート１４に係合するとき、ストッパ１８は付勢され、保持部２５が下方に移動して、コネクタ１２を解放するのが防止される位置に、コネクタ１２を移動する。
【００３４】
ここで、図１と図６を参照すると、観念的には、プレート１４は、接続体６の領域のシート材料から形成される対象物１０の部分であることが好ましい。このような場合、プレート１４は、折り線７２に沿って対象物１０から延在する対象物１０またはタブ７０の別個でない部分であり得る。引張り要素８が折り線７２に対して部分的に垂直なところでは、タブ７０は、タブ上の力の変化に応答して枢着し得る。
【００３５】
次に、図６を参照すると、ケーブル７４と着座用のランバーサポートのバスケット７８の第１端部との間に、および導管７６とバスケット７８の第２端部との間に接続体６が示されている。図３Ａに示したような接続体６は、ケーブル端部接続体８０で使用され、図３Ｂに示したような接続体６は、導管端部接続体８２で使用される。ケーブル７４が導管７６内へ収納された場合、２つの接続体６の間のケーブル７４の長さは短縮される。好ましくは弾性シート材料製のバスケット７８は、圧縮されて、外側に曲がるようになり、ランバーサポートを提供する。バスケット７８が外側に曲がるにつれ、ケーブル７４とバスケット７８の第１および第２端部との間の角度の変化に反応して、タブ７０も曲がり得る。
【００３６】
本実施形態では、プレート１４は別個の要素ではなく、むしろバスケット７８の一部分であり、これによって必要な部品数が低減される。動作ヒンジはプレート１４内、あるいはプレート１４とバスケット７８との間に作られ、コネクタ１２に対し引張り要素８が最小回転して、バスケット７８がカールするのを可能にする。
【００３７】
導管７６から延在し得るケーブル７４の長さは、バスケット７８に対し常に少なくともわずかなカールあるように、選択することができる。わずかなカールによってケーブル７４は緊張状態に維持され、スロット１６からのコネクタ１２の解放が阻止され、保持部２５を不要にし得る。さらに、バスケット７８は、それが平坦であるか、あるいはほとんど平坦である場合に曲がることが最も困難になる。バスケット７８がその最も平坦な位置にある場合のバスケット７８のわずかなカールは、バスケット７８を前記位置から移動するために必要な引張力を低減し、バスケット７８を移動するために、オペレータがバスケット７８に加える必要がある最大引張力を低減する。バスケット７８を移動するために必要な引張力は、コネクタ１２がプレート１４に係合するとき、コネクタがプレート１４から可能な限り遠くにあるように、引張り要素８をコネクタ１２の中に配置することによって低減し得る。
【００３８】
以上説明してきたことは、本発明の好適な実施形態であることを理解すべきである。また、本発明が所定の変更および代替実施形態を許容するとすれば、それらが本発明に包含されることは、上述の本発明の思想および主張される特許請求の範囲によって完全に理解されるであろう。
【図面の簡単な説明】
次の図面を参考にして、本発明の実施形態について説明する。
【図１】本発明による接続体の斜視図である。
【図２】本発明によるスロット付きプレートの斜視図である。
【図３Ａ】本発明によるコネクタの斜視図である。
【図３Ｂ】本発明によるコネクタの斜視図である。
【図３Ｃ】図３Ａのコネクタの正面図である。
【図４】本発明による接続体の平面図である。
【図５Ａ】本発明による接続体の部分断面立面図である。
【図５Ｂ】本発明による接続体の部分断面立面図である。
【図６】本発明による調整可能なランババスケットと共に使用されるケーブルアセンブリ接続体の斜視図である。
【国際公開パンフレット】
2004537681.tif 000003
2004537681.tif 000004
2004537681.tif 000005
2004537681.tif 000006
2004537681.tif 000007
2004537681.tif 000008
2004537681.tif 000009
2004537681.tif 000010
2004537681.tif 000011
2004537681.tif 000012
2004537681.tif 000013
2004537681.tif 000014
2004537681.tif 000015
2004537681.tif 000016
2004537681.tif 000017
2004537681.tif 000018
2004537681.tif 000019
2004537681.tif 000020
2004537681.tif 000021
2004537681.tif 000022
2004537681.tif 000023
2004537681.tif 000024
2004537681.tif 000025
2004537681.tif 000026
2004537681.tif 000027
2004537681.tif 000028
2004537681.tif 000029
2004537681.tif 000030
2004537681.tif 000031
【国際調査報告】
2004537681.tif 000032
2004537681.tif 000033
2004537681.tif 000034